(57)【要約】【課題】表示パネルの周囲環境の変化に伴う表示品質の劣化を低減する。【解決手段】表示パネル制御回路ＣＮＴは複数のスイッチング素子Ｗを行単位に導通させるように複数のゲート線Ｙを順次駆動するゲートドライバＹＤと、各行のスイッチング素子Ｗが対応ゲート線Ｙの駆動によって導通する間に複数のソース線Ｘに画素電圧をそれぞれ出力するソースドライバＸＤと、各行のスイッチング素子Ｗがこれら画素電圧を１行分の画素ＰＸおよび補助容量Ｃｓの一端に印加してから非導通になるときに生じる画素電圧の変動を補償するために１行分の補助容量Ｃｓの他端に印加される補償電圧を発生する補償電圧発生回路６とを備える。特に、補償電圧発生回路６は表示パネルＤＰの周囲環境の変化に対して補償電圧の変動を制限するように構成される。【選択図】図１
2006119450.tif 000002
【特許請求の範囲】
【請求項１】
複数のゲート線および複数のソース線が略マトリクス状に配置される複数の画素の行および列に沿って配置され、前記複数のスイッチング素子が各々対応ゲート線を介して駆動されたときに対応ソース線および対応画素間で導通するように前記複数のゲート線および複数のソース線の交差位置付近に配置され、前記複数の画素がそれぞれ複数の補助容量に接続される表示パネルを制御する表示パネル制御回路であって、前記複数のスイッチング素子を行単位に導通させるように前記複数のゲート線を順次駆動するゲートドライバと、各行のスイッチング素子が対応ゲート線の駆動によって導通する間に前記複数のソース線に画素電圧をそれぞれ出力するソースドライバと、前記行のスイッチング素子がこれら画素電圧を１行分の画素および補助容量の一端に印加してから非導通になるときに生じる画素電圧の変動を補償するために前記１行分の補助容量の他端に印加される補償電圧を発生する補償電圧発生回路とを備え、前記補償電圧発生回路は前記表示パネルの周囲環境の変化に対して前記補償電圧の変動を制限するように構成されることを特徴とする表示パネル制御回路。
【請求項２】
前記補償電圧発生回路は少なくとも前記表示パネルの周囲温度に依存した負荷の変動に応答して出力電圧を維持するように動作する定電圧源であるシャントレギュレータを含むことを特徴とする請求項１に記載の表示パネル制御回路。
【請求項３】
前記補償電圧発生部は前記シャントレギュレータの出力電圧を分圧する分圧回路および前記分圧回路の出力電圧を前記補償電圧として出力するバッファ回路を含むことを特徴とする請求項２に記載の表示パネル制御回路。
【請求項４】
前記分圧回路は周囲温度による前記表示パネルの特性変化量を減少させる負の温度特性を有するダイオード部およびこのダイオード部に直列に接続される分圧抵抗を含むことを特徴とする請求項３に記載の表示パネル制御回路。
【請求項５】
前記ダイオード部は、直列な複数のダイオードを含むことを特徴とする請求項４に記載の表示パネル制御回路。
【請求項６】
前記補償電圧発生回路は少なくとも前記表示パネルの周囲温度を検出した結果として外部から供給される環境情報に基づいて前記補償電圧を維持するように制御されることを特徴とする請求項１に記載の表示パネル制御回路。
【請求項７】
前記複数の画素は液晶画素であることを特徴とする請求項１に記載の表示パネル制御回路。
【請求項８】
前記複数の補助容量は各行の画素と隣接行の画素に沿って配置された隣接ゲート線と間の容量結合により形成され、前記ゲートドライバは前記補償電圧発生回路からの補償電圧を前記隣接ゲート線に出力するように構成されることを特徴とする請求項１に記載の表示パネル制御回路。
【発明の詳細な説明】
【技術分野】
【０００１】
本発明は、例えばＴＮモードの液晶表示パネルに適用される表示パネル制御回路に関する。
【背景技術】
【０００２】
液晶表示装置に代表される平面表示装置は、コンピュータ、カーナビゲーションシステムあるいはテレビ受信機等の表示装置として広く利用されている。
【０００３】
液晶表示装置は、一般に複数の画素のマトリクスアレイを含む液晶表示パネル、およびこの表示パネルを制御する表示パネル制御回路を有する。液晶表示パネルはアレイ基板および対向基板間に液晶層を挟持した構造である。アレイ基板は略マトリクス状に配置される複数の画素電極、複数の画素電極の行に沿って配置される複数のゲート線、複数の画素電極の列に沿って配置される複数のソース線、複数のゲート線および複数のソース線の交差位置近傍に配置される複数のスイッチング素子を有する。各スイッチング素子は例えば薄膜トランジスタからなり、１ゲート線が駆動されたときに導通して１ソース線の電位を１画素電極に印加する。対向基板には、アレイ基板に配置された複数の画素電極に対向するように共通電極が設けられる。一対の画素電極および共通電極は液晶層の画素領域と共に画素を構成し、画素領域において液晶分子配列を画素電極および共通電極間の電界によって制御する。表示パネル制御回路は複数のゲート線に接続されるゲートドライバ、複数のソース線に接続されるソースドライバ、およびこれらゲートドライバおよびソースドライバの動作タイミングを制御するコントローラ等を含む。
【０００４】
ここで、ゲートドライバは複数の画素に対する画素データからなる画像データの更新周期である１フレーム期間（垂直走査期間）に順次複数のゲート線を順次駆動し、ソースドライバは各ゲート線がゲートドライバによって駆動される１水平走査期間において１行分の画素に対する画素データをそれぞれ画素電圧に変換して複数のソース線に並列的に出力する。これら画素電圧は駆動ゲート線に割り当てられた１行分のスイッチング素子を介してそれぞれの画素電極に供給される。画素電圧は例えば０Ｖに設定される共通電極および画素電極間の電位差であり、液晶駆動電圧として画素電極および共通電極間に配置される液晶層の画素領域に印加される。また、画素電極および共通電極は液晶層と共に液晶容量を構成し、スイッチング素子が導通する１水平走査期間において画素電圧に充電され、スイッチング素子がこの後非導通となって再び１フレーム期間後に導通するまで充電電荷を保持する。すなわち、液晶表示パネルは、画像データの更新まで表示状態を保持するホールド型表示パネルである。
【０００５】
画素電極および共通電極間の電界の方向を変化させない場合、液晶分子の偏在化が進行して、最終的に液晶分子配列を制御できない状態に陥る。これを防止するため、画素電圧は例えば１フレーム期間毎に共通電極の電位を基準にして極性反転される。また、表示画像のちらつき（フリッカ）が例えば各行毎に画素電圧を極性反転するライン反転駆動、あるいは各行および各列の画素毎に画素電圧を極性反転するドット反転駆動により防止される。
【０００６】
ところで、スイッチング素子、すなわち薄膜トランジスタのゲートおよび画素電極側ノード間の寄生容量は上述の画素電圧を変化させる要因である。これは、画素電極の電位が薄膜トランジスタの非導通時にこの寄生容量を充電する電荷の移動に伴ってシフトすることにより生じる。画素電極の電位シフト量ΔＶｐは突き抜け電圧、あるいはフィールドスルー電圧として知られている。ΔＶｐによる画素電圧の変動を補償する手段として、従来、容量結合駆動方式が提案されている（非特許文献１，非特許文献２，および非特許文献３を参照）。この容量結合駆動方式では、薄膜トランジスタが非導通となった直後に補償電圧がこの薄膜トランジスタを制御するゲート線に隣接し補助容量を構成するように画素電極に容量結合する前段のゲート線に印加され、ΔＶｐをキャンセルする。
【非特許文献１】フラットパネル・ディスプレイ '９３ p128-p131
【非特許文献２】National Technical Report Vol.42 No.3, p321-p325 Jun. 1996
【非特許文献３】National Technical Report Vol.43 No.6, p56-p61 Dec. 1997
【発明の開示】
【発明が解決しようとする課題】
【０００７】
また、液晶表示パネルは、輝度が例えば周囲温度に依存するという特徴を有する。従来では、図９に示すような相対輝度−階調特性の変化が周囲温度の違いによって生じる。
【０００８】
特に容量結合駆動を行う場合には、周囲温度の違いが画素の電気光学応答の動作点を変動させるだけでなく、補償電圧も変動させてしまう。この結果、図９に示す特性のずれ、コントラストの低下、色バランスの崩れ等が生じ、観察者が良好な表示品質で画像を見ることができなくなる。
【０００９】
本発明の目的は、表示パネルの周囲環境の変化に伴う表示品質の劣化を低減できる表示パネル制御回路を提供することにある。
【課題を解決するための手段】
【００１０】
本発明によれば、複数のゲート線および複数のソース線が略マトリクス状に配置される複数の画素の行および列に沿って配置され、複数のスイッチング素子が各々対応ゲート線を介して駆動されたときに対応ソース線および対応画素間で導通するように複数のゲート線および複数のソース線の交差位置付近に配置され、複数の画素がそれぞれ複数の補助容量に接続される表示パネルを制御する表示パネル制御回路であって、複数のスイッチング素子を行単位に導通させるように複数のゲート線を順次駆動するゲートドライバと、各行のスイッチング素子が対応ゲート線の駆動によって導通する間に複数のソース線に画素電圧をそれぞれ出力するソースドライバと、各行のスイッチング素子がこれら画素電圧を１行分の画素および補助容量の一端に印加してから非導通になるときに生じる画素電圧の変動を補償するために１行分の補助容量の他端に印加される補償電圧を発生する補償電圧発生回路とを備え、補償電圧発生回路は表示パネルの周囲環境の変化に対して補償電圧の変動を制限するように構成される表示パネル制御回路が提供される。
【発明の効果】
【００１１】
この表示パネル制御回路では、補償電圧発生回路が表示パネルの周囲環境の変化に対して補償電圧の変動を制限するように構成される。これにより、スイッチング素子の寄生容量によって生じる画素電圧の変動を補償する動作を周囲環境の変化に影響されずに行える。すなわち、表示パネルの相対輝度−階調特性のずれ、コントラストの低下、色バランスの崩れ等が抑制され、周囲環境の変化に伴う表示品質の劣化を低減することができる。
【発明を実施するための最良の形態】
【００１２】
以下、本発明の一実施形態に係る液晶表示装置について添付図面を参照して説明する。図１はこの液晶表示装置の回路構成を概略的に示す。液晶表示装置は例えばノーマリホワイトモードの液晶表示パネルＤＰおよびこの表示パネルＤＰを制御する表示パネル制御回路ＣＮＴを備える。液晶表示パネルＤＰはアレイ基板１および対向基板２間に液晶層３を挟持した構造である。
【００１３】
アレイ基板１は、例えばガラス等の透明絶縁基板上に略マトリクス状に配置される複数の画素電極ＰＥ、複数の画素電極ＰＥの行に沿って配置される複数のゲート線Ｙ（Ｙ０〜Ｙｍ）、複数の画素電極ＰＥの列に沿って配置される複数のソース線Ｘ（Ｘ１〜Ｘｎ）、並びにこれらゲート線Ｙおよびソース線Ｘの交差位置近傍に配置され各々対応ゲート線Ｙを介して駆動されたときに対応ソース線Ｘおよび対応画素電極ＰＥ間で導通して複数の画素スイッチング素子Ｗを有する。各画素スイッチング素子Ｗは例えば薄膜トランジスタからなり、薄膜トランジスタのゲートがゲート線Ｙに接続され、ソース−ドレインパスがソース線Ｘおよび画素電極ＰＥ間に接続される。
【００１４】
対向基板２は例えばガラス等の透明絶縁基板上に配置されるカラーフィルタ（図示せず）、および複数の画素電極ＰＥに対向してカラーフィルタ上に配置される共通電極ＣＥ等を含む。各画素電極ＰＥおよび共通電極ＣＥは例えばＩＴＯ等の透明電極材料からなり、画素電極ＰＥおよび共通電極ＣＥからの電界に対応した液晶分子配列に制御される液晶層３の画素領域と共に画素ＰＸを構成する。
【００１５】
また、複数の画素ＰＸは各々画素電極ＰＥおよび共通電極ＣＥ間に液晶容量ＣＬＣを有し、さらに複数の補助容量Ｃｓの一端に接続される。各補助容量Ｃｓは、この画素ＰＸの画素電極ＰＥとこの画素ＰＸに一方側で隣接し画素ＰＸの画素スイッチング素子Ｗを制御する前段のゲート線Ｙとの容量結合により形成され、この画素スイッチング素子Ｗの寄生容量に対して十分大きな容量値を有する。尚、図１は、表示画面を構成する複数の画素ＰＸのマトリクスアレイに対して周囲に配置される複数のダミー画素を省略して描かれている。これらダミー画素は表示画面内の画素ＰＸと同様に配線され、寄生容量等に関して表示画面内の全画素ＰＸを同一条件にするために設けられものである。ゲート線Ｙ０はこのようなダミー画素に対するゲート線である。
【００１６】
表示パネル制御回路ＣＮＴは、複数のスイッチング素子Ｗを行単位に導通させるように複数のゲート線Ｙ０〜Ｙｍを順次駆動するゲートドライバＹＤ、各行のスイッチング素子Ｗが対応ゲート線Ｙの駆動によって導通する１水平走査期間において画素電圧Ｖsを複数のソース線Ｘ１〜Ｘｎにそれぞれ出力するソースドライバＸＤ、複数の画素ＰＸに対して１フレーム期間（垂直走査期間）毎に外部信号源ＳＳから入力される複数の画素データからなる画像データに対して解像度および階調等の変換を行う画像データ変換回路４、およびこの画像データ変換回路４の変換結果として得られる画像データに対してゲートドライバＹＤおよびソースドライバＸＤの動作タイミング等を制御するコントローラ５を含む。画素電圧Ｖsは共通電極ＣＥのコモン電位Ｖcomを基準として画素電極ＰＥに印加される電圧であり、フレーム反転駆動およびドット反転駆動を行うようコモン電位Ｖcomに対して極性反転される。
【００１７】
ゲートドライバＹＤおよびソースドライバＸＤは例えばアレイ基板１の外縁に沿って配置されるフレキシブル配線シートにマウントされた集積回路（ＩＣ）チップである。他方、画像データ変換回路４およびコントローラ５は外部のプリント配線板ＰＣＢ上に配置される。コントローラ５は、上述のように順次複数のゲート線Ｙを駆動するための制御信号ＣＴＹおよび、画像データ変換回路４の変換結果として１行分の画素ＰＸ単位に得られ直列に出力される画素データＤＡＴＡを複数のソース線Ｘにそれぞれ割り当てるための制御信号ＣＴＸ等を発生する。制御信号ＣＴＹはコントローラ５からゲートドライバＹＤに供給され、制御信号ＣＴＸは画像データ変換回路４から変換結果として得られる画素データＤＡＴＡと共にコントローラ５からソースドライバＸＤに供給される。
【００１８】
表示パネル制御回路ＣＮＴはさらに１行分のスイッチング素子Ｗが非導通となるときにこれらスイッチング素子Ｗに接続されるゲート線Ｙに一方側で隣接する前段の隣接ゲート線ＹにゲートドライバＹＤを介して印加されこれらスイッチング素子Ｗの寄生容量によって１行分の画素ＰＸに生じる画素電圧Ｖsの変動を補償する補償電圧Ｖeを発生する補償電圧発生回路６、および画像データＤＡＴＡを画素電圧Ｖsに変換するために用いられる所定数の階調基準電圧ＶＲＥＦを発生する階調基準電圧発生回路７を含む。ここで、補償電圧発生回路６は表示パネルの周囲環境の変化に対して補償電圧Ｖeの変動を制限するように構成される。
【００１９】
図２はこの補償電圧発生回路６の具体的な回路構成を示す。図２に示すように、この補償電圧発生回路６は、表示パネルＤＰの周囲環境の一例である周囲温度に少なくとも依存した負荷の変動に応答して出力電圧を維持するように動作する定電圧源であるシャントレギュレータ１１、シャントレギュレータ１１の出力電圧を分圧する分圧回路１２、および分圧結果の電圧を補償電圧Ｖeとして出力するバッファ回路１３を含む。シャントレギュレータ１１は例えば＋１０Ｖに設定される電源端子Ｖecおよび接地端子間に抵抗１０を介して直列に接続されるトランジスタ１１Ａおよび分圧回路１２の分圧抵抗から得られる分圧結果の電圧と基準電源１１Ｃからの基準電圧Ｖ０との差を無くすようにトランジスタ１１に流れる電流を調整する差動アンプ１１Ｂを含む。分圧回路１２はトランジスタ１１Ａのコレクタおよびエミッタ間に直列接続される抵抗１２Ａ，１２Ｂを分圧抵抗として含む。バッファ回路１３は抵抗１２Ａおよび抵抗１１２Ｂ間のノードから得られる分圧結果の電圧を補償電圧ＶeとしてソースドライバＹＤに出力する。
【００２０】
ゲートドライバＹＤは制御信号ＣＴＹの制御により１フレーム期間において複数のゲート線Ｙ１〜Ｙｍを順次選択し、各行の画素スイッチング素子Ｗを１水平走査期間だけ導通させるオン電圧を選択ゲート線Ｙに供給する。画像データ変換回路４は１行分の画素ＰＸに対する画素データＤＡＴＡからなる変換結果を１水平走査期間毎に出力し、ソースドライバＸＤは上述の階調基準電圧発生回路７から供給される所定数の階調基準電圧ＶＲＥＦを参照してこれら画素データＤＡＴＡをそれぞれ画素電圧Ｖsに変換し、複数のソース線Ｘ１〜Ｘｎに並列的に出力する。
【００２１】
ゲートドライバＹＤが例えばゲート線Ｙ１をオン電圧により駆動してこのゲート線Ｙ１に接続された全ての画素スイッチング素子Ｗを導通させると、ソース線Ｘ１〜Ｘｎ上の画素電圧Ｖsがこれら画素スイッチング素子Ｗをそれぞれ介して対応画素電極ＰＥおよび補助容量Ｃｓの一端に供給される。また、ゲートドライバＹＤはこのゲート線Ｙ１に隣接した前段のゲート線Ｙ０に補償電圧発生回路６からの補償電圧Ｖeを出力し、ゲート線Ｙ１に接続された全ての画素スイッチング素子Ｗを１水平走査期間だけ導通させた直後にこれら画素スイッチング素子Ｗを非導通にするオフ電圧をゲート線Ｙ１に出力する。補償電圧Ｖeはこれら画素スイッチング素子Ｗが非導通になったときにこれらの寄生容量によって画素電極ＰＥから引き抜かれる電荷を低減して画素電圧Ｖsの変動、すなわち突き抜け電圧ΔＶｐを実質的にキャンセルする。また、表示パネルＤＰの周囲温度が変化しても、シャントレギュレータ１１が少なくとも表示パネルＤＰの周囲温度に依存した負荷の変動に応答して出力電圧を維持するように動作する定電圧源であるため、周囲温度変化の影響が画素電圧Ｖsの変動を補償する動作において排除される。
【００２２】
本実施形態の液晶表示装置では、補償電圧発生回路６が表示パネルＤＰの周囲温度を含む周囲環境の変化に対して補償電圧の変動を制限するように構成される。これにより、スイッチング素子Ｗの寄生容量によって生じる画素電圧Ｖsの変動を補償する動作を周囲環境の変化に影響されずに行える。すなわち、補償電圧の変動に起因した表示パネルの相対輝度−階調特性のずれ、コントラストの低下、色バランスの崩れが抑制され、周囲環境の変化に伴う表示品質の劣化を低減することができる。相対輝度−階調特性のずれについては、図３に示すように縮小する。
【００２３】
図４は、図１に示す補償電圧発生回路６の第１変形例の回路構成を示す。この変形例では、分圧回路１２が抵抗１２Ａおよび１２Ｂからなる分圧抵抗に加えてダイオード部１４を含む。このダイオード部１４は、周囲温度による表示パネルＤＰの特性変化量を減少させる負の温度特性を有する単一のダイオードからなり、分圧抵抗がこのダイオード部１４に直列に接続される。
【００２４】
例えば表示パネルＤＰの相対輝度−階調特性の温度依存性は液晶画素ＰＸの電気光学応答の動作点が表パネルＤＰの周囲温度の変化に伴って変動することに起因する。図２に示す補償電圧発生回路６は補償電圧Ｖeを安定化することができるが、周囲温度に依存した表示パネルＤＰの相対輝度−階調特性のずれに対して有効であるとはいえない。ダイオード部１４はこの相対輝度−階調特性のずれ、すなわち変動量を低減するために有効に作用する。
【００２５】
図５は図４に示す補償電圧発生回路６を用いて得られる液晶表示パネルＤＰの相対輝度−階調特性を異なる周囲温度について示す。図５および図３を参照すると、中間階調における２本の特性曲線の間隔は図５において図３よりも狭くなっていることがわかる。従って、補償電圧の変動に加えて液晶画素ＰＸの動作点の変動に起因した表示パネルの相対輝度−階調特性のずれ、コントラストの低下、色バランスの崩れについても抑制することが可能であり、これにより周囲環境の変化に伴う表示品質の劣化をより低減することができる。
【００２６】
図６は、図１に示す補償電圧発生回路６の第２変形例の回路構成を示す。この変形例では、分圧回路１２が抵抗１２Ａおよび１２Ｂからなる分圧抵抗に加えてダイオード部１４を含む。このダイオード部１４は、周囲温度による表示パネルＤＰの特性変化量を減少させる負の温度特性を有する２個のダイオード１４Ａ，１４Ｂからなり、分圧抵抗がこのダイオード部１４に直列に接続される。この構成は、第１変形例で周囲温度に依存した表示パネルＤＰの相対輝度−階調特性のずれ、すなわち変動量を十分低減できない場合に対処するものである。
【００２７】
図７は図６に示す補償電圧発生回路６を用いて得られる液晶表示パネルＤＰの相対輝度−階調特性を異なる周囲温度について示す。
【００２８】
図５および図７を参照すると、中間階調における２本の特性曲線の間隔は図７において図５よりも僅かであるが確実に狭くなっていることがわかる。従って、ダイオード部１４のダイオード数を図６に示すように増大させることが有効であることがわかる。従って、補償電圧の変動に加えて液晶画素ＰＸの動作点の変動に起因した表示パネルの相対輝度−階調特性のずれ、コントラストの低下、色バランスの崩れについても第１変形例以上に抑制することが可能であり、これにより周囲環境の変化に伴う表示品質の劣化をより一層低減することができる。図６では、２個のダイオード１４Ａ，１４Ｂが設けられたが、ダイオード数はさらに増大させてもよい。
【００２９】
尚、本発明は上述の実施形態に限定されず、その要旨を逸脱しない範囲で様々に変形可能である。
【００３０】
表示パネル制御回路ＣＮＴは、例えば図８に示すように構成されてもよい。ここでは、表示パネルＤＰの周囲温度を検出する温度センサ８が補償電圧発生回路６の外部に設けられ、補償電圧発生回路６表示パネルＤＰの周囲温度を検出した結果として温度センサ８から供給される環境情報に基づいて補償電圧を維持するように制御される。さらに、表示パネルＤＰの周囲温度だけでなく、他の環境要素を検出した結果を環境情報に追加してもよい。
【００３１】
また、上述の実施形態では、補助容量Ｃｓが隣接ゲート線Ｙと画素電極ＰＥとの容量結合により形成されているが、これは画素電極ＰＥと補助容量線との容量結合により形成されてもよい。この場合、ゲートドライバＹＤは補償電圧発生回路６からの補償電圧をこの補助容量線に補償電圧Ｖeを出力することになる。
【図面の簡単な説明】
【００３２】
【図１】本発明の一実施形態に係る液晶表示装置の回路構成を概略的に示す図である。
【図２】図１に示す補償電圧発生回路の具体的な回路構成を示す図である。
【図３】図１に示す液晶表示パネルの相対輝度−階調特性を異なる周囲温度について示すグラフである。
【図４】図１に示す補償電圧発生回路の第１変形例の回路構成を示す図である。
【図５】図４に示す補償電圧発生回路を用いて得られる液晶表示パネルの相対輝度−階調特性を異なる周囲温度について示すグラフである。
【図６】図１に示す補償電圧発生回路の第２変形例の回路構成を示す図である。
【図７】図６に示す補償電圧発生回路を用いて得られる液晶表示パネルの相対輝度−階調特性を異なる周囲温度について示すグラフである。
【図８】図１に示す表示パネル制御回路の変形例を示す図である。
【図９】従来の液晶表示パネルの相対輝度−階調特性の温度依存性を示すグラフである。
【符号の説明】
【００３３】
１…アレイ基板、２…対向基板、３…液晶層、４…画像データ変換回路、５…コントローラ、６…補償電圧発生回路、７…階調基準電圧発生回路、８…温度センサ、ＤＰ…液晶表示パネル、ＰＥ…画素電極、ＣＥ…共通電極、ＣＬＣ…液晶容量、Ｃｓ…補助容量、ＰＸ…液晶画素、Ｗ…スイッチング素子、Ｙ…ゲート線、Ｘ…ソース線、ＣＮＴ…表示パネル制御回路、ＹＤ…ゲートドライバ、ＸＤ…ソースドライバ。
【図１】
2006119450.tif 000003
【図２】
2006119450.tif 000004
【図３】
2006119450.tif 000005
【図４】
2006119450.tif 000006
【図５】
2006119450.tif 000007
【図６】
2006119450.tif 000008
【図７】
2006119450.tif 000009
【図８】
2006119450.tif 000010
【図９】
2006119450.tif 000011